(57)【要約】【課題】  自然環境に悪影響を与えず、鶏や人間を始めとする動植物に対しては安全であり、しかも手間が掛からず効果の大きい鳥インフルエンザ感染予防手段及び予防方法を提供する。【解決手段】  鶏舎１Ａの内部には鶏Ｃを飼育するケージ２が設置され、各ケージ２の前下には飼料を供給する給飼部及び飲料水を供給する給水部としての給飼・給水部３が付設されている。鶏舎１Ａの外部にはオゾン発生装置１０が設置され、このオゾン発生装置１０からのオゾンを鶏舎１Ａ内に散布する配管２０が敷設されている。配管２０は、オゾン発生装置１０からのオゾンを鶏舎１Ａの外部から内部に導入する配管２１と、配管２１からのオゾンを天井部から散布する３本の配管２２，２３，２４とからなる。配管２２〜２４は、オゾンを下向きに噴出する多数の細孔を有する。【選択図】      図１
2009142204.tif 000002
【特許請求の範囲】
【請求項１】
鶏舎に、オゾン発生装置と、このオゾン発生装置からのオゾンを鶏舎内外に散布する多数の細孔を有する配管と、を備えたことを特徴とする鶏舎用鳥インフルエンザ感染予防装置。
【請求項２】
前記配管は、鶏舎内の天井部に配置されていることを特徴とする請求項１記載の鶏舎用鳥インフルエンザ感染予防装置。
【請求項３】
前記配管は、鶏舎内の給餌部に沿って配置されていることを特徴とする請求項１又は請求項２記載の鶏舎用鳥インフルエンザ感染予防装置。
【請求項４】
前記配管は、鶏舎内の給水部に沿って配置されていることを特徴とする請求項１、請求項２又は請求項３記載の鶏舎用鳥インフルエンザ感染予防装置。
【請求項５】
前記配管は、鶏舎内の床及び鶏舎の外周に沿って配置されていることを特徴とする請求項１、請求項２、請求項３又は請求項４記載の鶏舎用鳥インフルエンザ感染予防装置。
【請求項６】
前記配管からは、気相オゾン、オゾン水、又はオゾン添加銀イオン水が切り換えられて散布されることを特徴とする請求項３、請求項４又は請求項５記載の鶏舎用鳥インフルエンザ感染予防装置。
【請求項７】
鶏舎内の天井部、鶏舎内の給餌部、鶏舎内の給水部、鶏舎内の床及び鶏舎の外周のうち、少なくとも１箇所からオゾンを散布することを特徴とする鶏舎用鳥インフルエンザ感染予防方法。
【発明の詳細な説明】
【技術分野】
【０００１】
本発明は、鶏舎内で飼育されている鶏が鳥インフルエンザに感染するのを予防する装置及び方法に関する。
【背景技術】
【０００２】
昨今、鳥インフルエンザウイルスにより鶏等の鳥が鳥インフルエンザの感染により死亡し、その処理や対策、引いては人間への感染予防が叫ばれている。鳥インフルエンザの対策としては、鶏舎内を薬剤で定期的に消毒したり、鶏舎の敷地に入る人間や車両を消毒したりするなどして、鳥インフルエンザウイルスが侵入しないよう厳重な管理が行われている。
【０００３】
一方、オゾンを利用して家畜（家禽、牛、豚、馬等）の排泄物の悪臭、及び畜舎の悪臭を防止する装置がある。例えば、オゾン発生機により発生するオゾンを水とともにオゾン溶解槽に導入してオゾン水を製造し、このオゾン水を紫外線照射装置に通して紫外線照射処理を行い家畜に飲ませるとともに、オゾン水を洗浄水として使用して畜舎内を清掃し、畜舎内の天井付近にスプリンクラーを設置してオゾン水を散水するようにした畜舎の脱臭装置がある（例えば、特許文献１参照）。
【特許文献１】特開２００２−３０６０８６号公報
【発明の開示】
【発明が解決しようとする課題】
【０００４】
鳥インフルエンザ予防対策として鶏舎内外を消毒する場合、消毒薬を使用することになるが、消毒薬の取扱いには十分注意しなければならない。また、厳重な注意が必要な薬品を定期的かつ大量に使用し続けることに対しては、消毒薬の環境で育った鶏肉、土壌汚染、地下水汚染、人体や大気等の住環境への影響等にも十分な配慮が必要である。このため、消毒薬を使用する予防対策は、定期的に消毒するのに人手や手間、ランニングコストが掛かる上に、鶏自体や鶏肉の食品としての安全性、作業従事者や鶏舎内外の自然環境への影響にも注意を要するなど、多大な負担が掛かっているのが現状である。
【０００５】
また、上記特許文献１記載の脱臭装置では、家畜の排泄物の悪臭や畜舎の悪臭を防止するのにオゾン水を使用しているが、鳥インフルエンザ感染の予防対策は何ら採られていない。
【０００６】
この発明は、そのような実情に鑑みてなされたもので、自然環境に悪影響を与えず、鶏や人間を始めとする動植物に対しては安全であり、しかも手間が掛からず効果の大きい鳥インフルエンザ感染予防手段及び予防方法を提供することを目的としている。
【課題を解決するための手段】
【０００７】
上記課題を解決するために、本発明の鶏舎用鳥インフルエンザ感染予防装置は、鶏舎に、オゾン発生装置と、このオゾン発生装置からのオゾンを鶏舎内外に散布する多数の細孔を有する配管と、を備えたことを特徴とする。
【０００８】
この予防装置において、具体的に配管は、鶏舎内の天井部に配置されている、鶏舎内の給餌部に沿って配置されている、鶏舎内の給水部に沿って配置されている、或いは鶏舎内の床及び鶏舎の外周に沿って配置されている。
【０００９】
また、配管からは、気相オゾン、オゾン水、又はオゾン添加銀イオン水が切り換えられて散布されることが好ましい。これは、気相オゾンだけを用いるよりも、用途に応じてオゾン水やオゾン添加銀イオン水を使い分ける方がより効果的な予防を講ずることができるからである。
【００１０】
例えば、天井部の配管からは気相オゾンを散布することで、鶏舎内全体にオゾンを曝気して鶏舎内の特に空気を殺菌し、給餌部、給水部、床及び鶏舎の外周の配管からは、気相オゾン、オゾン水、又はオゾン添加銀イオン水を切り換えて散布することで、主として飼料、飲料水、床（コンクリート面、地面等）、鶏舎の外周の地面を殺菌する。これにより、万一、飼料等に鳥インフルエンザウイルス（以下、単にウイルスともいう）が付着していた場合は、そのウイルスを死滅させることができるだけでなく、ウイルスの鶏舎内や鶏舎の敷地内への侵入を未然に防ぐことができ、鳥インフルエンザ感染の効果的な予防措置となる。
【００１１】
特に、オゾン添加銀イオン水を使用すると、オゾンによる強力な殺菌作用だけでなく、銀イオン水中の銀イオンによる殺菌・抗菌作用が長期間にわたって持続するので、オゾンと銀イオンの相乗作用により、より強力で有効な予防対策となる。
【００１２】
なお、配管は、天井部、給餌部、給水部、床及び鶏舎の外周のうち、いずれか１箇所に敷設してもよいが、万全を帰するのであれば２箇所以上、最善としては全ての箇所に敷設するのがよい。
【００１３】
また、本発明の鶏舎用鳥インフルエンザ感染予防方法は、鶏舎内の天井部、鶏舎内の給餌部、鶏舎内の給水部、鶏舎内の床及び鶏舎の外周のうち、少なくとも１箇所からオゾンを散布することを特徴とする。
【発明の効果】
【００１４】
本願発明によれば、次の効果が得られる。
（１）オゾンの殺菌作用により鶏舎内外を殺菌するので、ウイルスが万一侵入した場合のウイルスの死滅やウイルスの侵入防止を図ることができる。
（２）オゾンの脱臭作用により鶏舎内外が消臭されるので、鶏の排泄物やそれによる汚水等に起因する悪臭を防止でき、作業環境を改善できる。
（３）オゾンはウイルスと動植物とでは有害となる濃度が異なるため、適切な濃度調整をすることで、ウイルスの殺菌効果は確保した上で、人体や鶏を始めとする動植物に対して安全な環境を作り出すことが可能であり、自然環境に悪影響を与えることはない。
（４）オゾンは曝気後に空気中の酸素により還元されて酸素に戻るため、消毒薬のように使用後の処理に注意を払う必要がなく、消毒薬よりも取り扱いやすい。
（５）オゾンは消毒薬と違って２４時間連続使用が可能であるため、常にウイルスの侵入を防ぐことができる。
（６）特にオゾン添加銀イオン水を使用すること（請求項６）で、オゾンによる強力な殺菌作用だけでなく、銀イオンによる殺菌・抗菌作用が長期間にわたって持続するので、オゾンと銀イオンの相乗作用により、より強力で有効な予防対策となる。
【発明を実施するための最良の形態】
【００１５】
以下、実施の形態により、この発明を更に詳細に説明する。
【００１６】
その実施形態に係る鳥インフルエンザ感染予防装置を配備した鶏舎の概略斜視図を図１に示す。鶏舎１Ａの内部には、鶏Ｃを飼育する複数（ここでは４つ）のケージ２が設置され、各ケージ２の前下には飼料を供給する給餌部及び飲料水を供給する給水部としての給餌・給水部３が付設されている。
【００１７】
鶏舎１Ａの外部には、オゾン発生装置１０が設置され、このオゾン発生装置１０からのオゾンを鶏舎１Ａ内に散布する配管２０が配置されている。ここでは、配管２０は、オゾン発生装置１０からのオゾンを鶏舎１Ａの外部から内部に導入する配管２１と、配管２１からのオゾンを天井部から散布する３本の配管２２，２３，２４とからなる。配管２２，２３，２４は、オゾンを下向きに噴出する多数の細孔（図示せず）を有する。配管２２は鶏舎１Ａの棟に沿って敷設され、配管２３，２４は棟と軒との中間当たりに敷設されている。
【００１８】
この鶏舎１Ａでは、オゾン発生装置１０で発生したオゾンが配管２１を経て配管２２，２３，２４から鶏舎１Ａ内に下向きに散布される。このオゾンの鶏舎１Ａ内全体への曝気により、内部の空気が殺菌されるだけでなく、鶏舎１Ａ内のケージ２等の設備も殺菌される。
【００１９】
別実施形態に係る鶏舎の概略斜視図を図２に示す。但し、同じ要素には同一符号を付してある。この鶏舎１Ｂの内部では、配管２０は、オゾン発生装置１０からのオゾンを鶏舎１Ｂの外部から内部に導入する配管２１と、配管２１からのオゾンを給餌・給水部３に向かって散布する４本の配管２５〜２８とからなる。配管２５〜２８は各ケージ２の給餌・給水部３の上に沿って敷設されている。
【００２０】
この鶏舎１Ｂでは、オゾン発生装置１０で発生したオゾンが配管２１を経て配管２５〜２８から給餌・給水部３に向かって散布される。このオゾンの散布により、給餌・給水部３に供給された飼料や飲料水が殺菌され、鶏Ｃがウイルスに汚染された飼料や飲料水を摂取するのを防止できる。
【００２１】
更に別実施形態に係る鶏舎の概略斜視図を図３に示す。この鶏舎１Ｃの外部及び内部では、配管２０は、オゾン発生装置１０からのオゾンを鶏舎１Ｃの外周に散布する配管２９と、オゾンを鶏舎１Ｃ内の床７に散布する配管３０とからなる。配管２９は鶏舎１Ｃの外周に沿って敷設され、配管３０は下段のケージ２の給餌・給水部３の下の床７に沿って敷設されるとともに、下段のケージ２間の床７にも敷設されている。なお、配管２９は鶏舎１Ｃの外周の２辺に沿ってだけ敷設されているが、全周に敷設されてもよいのは勿論である。
【００２２】
この鶏舎１Ｃでは、オゾン発生装置１０で発生したオゾンは、配管２９から鶏舎１Ｃの外部に散布されるとともに、配管３０から鶏舎１Ｃの内部の床７に向かって散布される。このオゾンの散布により、鶏舎１Ｃの外部の地面や空気が殺菌されるとともに、鶏舎１Ｃの内部の床７が殺菌される。
【００２３】
上記鶏舎１Ａ，１Ｂ，１Ｃによれば、オゾンの強力な殺菌作用により鶏舎内外を殺菌するので、ウイルスが万一侵入した場合でもウイルスを死滅させることができる上に、鶏舎外からのウイルスの侵入を未然に防止することができる。しかも、オゾンの脱臭作用により鶏舎内外が消臭されるので、鶏の排泄物やそれによる汚水等に起因する悪臭を防止でき、作業環境を改善できる。
【００２４】
また、オゾンは曝気後に空気中の酸素により還元されて酸素に戻るため、消毒薬のように使用後の処理に注意を払う必要がなく、消毒薬よりも取り扱いやすい。加えて、オゾンは消毒薬と違って２４時間連続使用が可能であるため、常にウイルスの侵入を防ぐことができる。つまり、オゾン発生装置１０からのオゾンを配管により自動的に散布すればよいので、消毒薬のように作業者が定期的に噴霧する必要がなく、予防対策が容易であり、人手や手間が掛からない。
【００２５】
更には、オゾンはウイルスと動植物とでは有害となる濃度が異なるため、適切な濃度調整をすることで、ウイルスの殺菌効果は確保した上で、人体や鶏を始めとする動植物に対して安全な環境を作り出すことが可能であり、自然環境に悪影響を与えることはない。
【００２６】
そのオゾンの濃度については、上記鶏舎１Ａ，１Ｂ，１Ｃで散布するオゾン濃度は、ウイルスの殺菌と人間や鶏を含む動植物の安全性を考慮して、０．０５〜０．１０ｐｐｍ、好ましくは０．１０〜０．２０ｐｐｍ程度である。
【００２７】
上記鶏舎１Ａ，１Ｂ，１Ｃで使用するオゾン発生装置１０は、既知のものでもよいが、オゾンの濃度調整を容易に行うためには、特開平８−２９０３号公報に記載された「オゾン発生装置」を使用するのが好ましい。このオゾン発生装置は、両端を封じガス（不活性ガス）を封入したガラス管の一端部のみに高周波印加電極が設けられた２本の単極型ガス封入放電管を、電極位置が互いに逆向きに互いに近接して略平行に並設し、その２本の放電管に高周波の高電圧を印加する手段を設けたものである。このオゾン発生装置では、各電極に高周波の高電圧を印加すると、２本の放電管内で雷放電（プラズマ）が励起し、２本の放電管間の空隙からオゾンが発生する。
【００２８】
このオゾン発生装置によると、従来のもの（絶縁物を介して対峙させた２つの導体に高電圧を印加するもの）に比べて、放電管内の雷放電が従来の放電極の代わりをするだけでなく、放電極が無く露出していないので、長寿命であり、小型化が可能である。
【００２９】
また、上記実施形態では、配管からオゾンを散布することとしているが、特に鶏舎１Ｂ、１Ｃの場合は、気相オゾンの他にオゾン水又はオゾン添加銀イオン水を散布してもよい。オゾン水は、周知の手法、例えば水中にオゾンを導入するなどにより生成すればよい。
【００３０】
銀イオン水は、例えば特開平８−１９２１６１号公報に記載された「銀イオン水生成器」を使用するのがよい。この銀イオン水生成器は、生成器本体と、水道蛇口に着脱可能に取り付けるための蛇口着脱具を設けた蛇口取付口と、生成された銀イオン水を排出する銀イオン水排出口と、蛇口取付口と銀イオン水排出口を連通する流路の上流側に配置されたカソード側銀電極及び流路の下流側に配置されたアノード側銀電極と、カソード側及びアノード側の銀電極間に電流を流す制御部とを備えるものである。
【００３１】
この銀イオン水生成器では、両銀電極間に通電すると、アノード側銀電極の銀が溶解して、Ａｇ＋が析出し、水道水から銀イオン水が生成されて銀イオン水排出口から出る。この銀イオン水にオゾンを導入すればよい。
【００３２】
特にオゾン添加銀イオン水を使用すれば、オゾンによる強力な殺菌作用だけでなく、銀イオンによる殺菌・抗菌作用が長期間にわたって持続するので、オゾンと銀イオンの相乗作用により、より強力で有効な予防対策となる。
【００３３】
更には、上記鶏舎１Ａでは天井部、鶏舎１Ｂでは給餌・給水部３、鶏舎１Ｃでは外周及び床７に配管が敷設されているが、それらを組合せることで、より万全な予防対策を講ずることができる。
【図面の簡単な説明】
【００３４】
【図１】一実施形態に係る鳥インフルエンザ感染予防装置を配備した鶏舎の概略斜視図である。
【図２】別実施形態に係る鳥インフルエンザ感染予防装置を配備した鶏舎の概略斜視図である。
【図３】更に別実施形態に係る鳥インフルエンザ感染予防装置を配備した鶏舎の概略斜視図である。
【符号の説明】
【００３５】
１Ａ，１Ｂ，１Ｃ    鶏舎
２                  ケージ
３                  給餌・給水部
７                  床
１０                オゾン発生装置
２０〜３０          配管
Ｃ                  鶏
【図１】
2009142204.tif 000003
【図２】
2009142204.tif 000004
【図３】
2009142204.tif 000005